【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
表面シートと防漏シートと間に吸収体が介在された吸収性本体と、この吸収性本体の外面側に一体的に設けられた外装シートと、前記吸収性本体の表面上から前記外装シートの表面上に延出し、これら吸収性本体及び外装シートに固定された固定シートと、を有し、
前記外装シートの前後方向両端部によってウエスト開口部が構成され、当該両端部の少なくとも一方は前記吸収性本体までは達しないように表面側に折り返されて折返し片が形成されている、パンツ型の紙おむつであって、
前記固定シートは、幅方向において外装シートの両側縁まで延在するとともに、前後方向において前記外装シートの表面上から前記折返し片の表面上まで更に延出し、かつ当該折返し片の表面に固定されている、
ことを特徴とするパンツ型の紙おむつ。
【請求項２】
表面シートと防漏シートと間に吸収体が介在された吸収性本体と、
この吸収性本体の外面側に一体的に設けられた、外装シート、この外装シートに幅方向に伸長した状態で固定された弾性伸縮部材、及び、この弾性伸縮部材の少なくとも一部を覆うように前記外装シートに積層された積層シート、が備わる外装体と、
前記吸収性本体の表面上から前記外装体の表面上に延出し、これら吸収性本体及び外装体に固定された固定シートと、を有し、
前記外装シートの前後方向両端部によってウエスト開口部が構成され、当該両端部の少なくとも一方は前記吸収性本体までは達しないように表面側に折り返されて折返し片が形成されている、パンツ型の紙おむつであって、
前記固定シートは、幅方向において外装シートの両側縁まで延在するとともに、前後方向において前記外装体の表面上から前記折返し片の表面上まで更に延出し、かつ当該折返し片の表面に固定されており、
前記積層シートは、前後方向に関して、前記折返し片と重ならない位置まで広がるに留まるものとされ、
かつ、前記弾性伸縮部材として、前記折返し片と前記外装シートとの間に介在されたウエスト部弾性伸縮部材と、前記積層シートと前記外装シートとの間に介在された腰回り弾性伸縮部材と、が備えられている、ことを特徴とするパンツ型の紙おむつ。
【請求項３】
表面シートと防漏シートと間に吸収体が介在された吸収性本体と、
この吸収性本体の外面側に一体的に設けられた、外装シート、この外装シートに幅方向に伸長した状態で固定された弾性伸縮部材、及び、この弾性伸縮部材の少なくとも一部を覆うように前記外装シートに積層された積層シート、が備わる外装体と、
前記吸収性本体の表面上から前記外装体の表面上に延出し、これら吸収性本体及び外装体に固定された固定シートと、を有し、
前記外装シートの前後方向両端部によってウエスト開口部が構成され、当該両端部の少なくとも一方は前記吸収性本体までは達しないように表面側に折り返されて折返し片が形成されている、パンツ型の紙おむつであって、
前記固定シートは、幅方向において外装シートの両側縁まで延在するとともに、前後方向において前記外装体の表面上から前記折返し片の表面上まで更に延出し、かつ当該折返し片の表面に固定されており、
前記積層シートは、前後方向に関して、前記折返し片と重なる位置まで広がるものとされ、
前記弾性伸縮部材として、前記折返し片と前記外装シートとの間に介在されたウエスト部弾性伸縮部材と、前記折返し片よりも股間側における前記積層シートと前記外装シートとの間に介在された腰回り弾性伸縮部材と、が備えられ、
かつ、前記折返し片の先端部は、前記積層シート及び前記固定シートの両方にホットメルト接着剤によって固定されている、ことを特徴とするパンツ型の紙おむつ。
【請求項４】
前記ウエスト部弾性伸縮部材及び腰回り弾性伸縮部材の少なくとも一方は、前後方向に間隔を空けてかつ前記折返し片の先端部近傍での間隔が他の部位の間隔よりも短くなるように配置されている、請求項２又は３記載のパンツ型の紙おむつ。
【請求項５】
前記固定シートの先端部が前記折返し片に固定されず、この固定されていない部位が掴み片として構成されている、請求項１〜４のいずれか１項に記載のパンツ型の紙おむつ。
【手続補正２】
【補正対象書類名】明細書
【補正対象項目名】全文
【補正方法】変更
【補正の内容】
【発明の詳細な説明】
【発明の名称】パンツ型の紙おむつ
【技術分野】
【０００１】
本発明は、パンツ型の紙おむつに関するものである。
【背景技術】
【０００２】
この種の紙おむつは、図１に示すように、表面シート１１と防漏シート１２と間に吸収体１３が介在された吸収性本体１０と、この吸収性本体１０の外面側に固定された、外装シート２０Ｂ、この外装シート２０Ｂに幅方向に伸長した状態で固定された弾性伸縮部材２４，２５…、及び、この弾性伸縮部材２４，２５…を覆うように外装シート２０Ｂに積層された積層シート２０Ａ、が備わる外装体２０と、から主になる。そして、外装シート２０Ｂの前後方向両端部によって、製品状態における紙おむつ１のウエスト開口部が構成され（図４参照）、また、当該両端部の少なくとも一方は表面側に折り返されて折返し片２７が形成されている。外装シート２０Ｂは、不繊布等で形成され、前後方向に関してある程度の伸縮をしてしまうため、前後方向端部を折り返すことによって前後方向長さを調節している。この折り返しによって形成されるのが、折返し片２７である（例えば、特許文献１参照。）。
しかしながら、この従来の紙おむつによると、吸収性本体１０の、特に前後方向端部が、外装体２０から剥がれてしまうことがある。そこで、これを改良した紙おむつとして、図２に示すように、固定シート４０を設けた形態が提案された。この固定シート４０は、吸収性本体１０の特に前後方向端部の表面上から外装体２０の表面上に延出し、これら吸収性本体１０及び外装体２０に固定されたものであり、これにより、吸収性本体１０が外装体２０から剥がれてしまうのを防止する。この固定シート４０は、例えば、不透液性とすることによって、吸収性本体１０の前後端縁から体液が滲み出すのを防止する機能を持たせることもある。
もっとも、外装体２０の、吸収性本体１０の前方や後方に位置する部位は、紙おむつの装着に際して、上方に引っ張られる。そこで、ある程度の強度が必要とされ、例えば、図３に示すように、固定シート４０の前後方向端部を、積層シート２０Ａと折返し片２７との間に挟みこまれるように延出させ、もって強度を向上させる形態が好ましいものと考えた。この考えに至ったのは、採用の理由は不明であるが、固定シート４０の前後方向端部が積層シート２０Ａと折返し片２７との間に挟みこまれた形態が存在したためである（例えば、特許文献２参照。）。
しかしながら、以上のいずれの形態においても、紙おむつ装着などに際して、外装体２０の、吸収性本体１０の前方や後方に位置する部位を上方に引っ張ったときに、折返し片２７に指が引っ掛かることがあった。折返し片２７に指が引っ掛かると、折返し片２７が剥がれ、場合によっては、積層シート２０Ａ等の外装体１０が裂けてしまうおそれがあり、円滑な装着の妨げとなる。
【特許文献１】特開２００４−３５０８０９号公報（図５）
【特許文献２】特開２００５−５８５１１号公報（図８）
【発明の開示】
【発明が解決しようとする課題】
【０００３】
本発明が解決しようとする主たる課題は、円滑な装着が妨げられるおそれのないパンツ型の紙おむつを提供することにある。
【課題を解決するための手段】
【０００４】
この課題を解決した本発明は、次のとおりである。
〔請求項１記載の発明〕
表面シートと防漏シートと間に吸収体が介在された吸収性本体と、この吸収性本体の外面側に一体的に設けられた外装シートと、前記吸収性本体の表面上から前記外装シートの表面上に延出し、これら吸収性本体及び外装シートに固定された固定シートと、を有し、
前記外装シートの前後方向両端部によってウエスト開口部が構成され、当該両端部の少なくとも一方は前記吸収性本体までは達しないように表面側に折り返されて折返し片が形成されている、パンツ型の紙おむつであって、
前記固定シートは、幅方向において外装シートの両側縁まで延在するとともに、前後方向において前記外装シートの表面上から前記折返し片の表面上まで更に延出し、かつ当該折返し片の表面に固定されている、
ことを特徴とするパンツ型の紙おむつ。
【０００５】
【０００６】
〔請求項２記載の発明〕
表面シートと防漏シートと間に吸収体が介在された吸収性本体と、
この吸収性本体の外面側に一体的に設けられた、外装シート、この外装シートに幅方向に伸長した状態で固定された弾性伸縮部材、及び、この弾性伸縮部材の少なくとも一部を覆うように前記外装シートに積層された積層シート、が備わる外装体と、
前記吸収性本体の表面上から前記外装体の表面上に延出し、これら吸収性本体及び外装体に固定された固定シートと、を有し、
前記外装シートの前後方向両端部によってウエスト開口部が構成され、当該両端部の少なくとも一方は前記吸収性本体までは達しないように表面側に折り返されて折返し片が形成されている、パンツ型の紙おむつであって、
前記固定シートは、幅方向において外装シートの両側縁まで延在するとともに、前後方向において前記外装体の表面上から前記折返し片の表面上まで更に延出し、かつ当該折返し片の表面に固定されており、
前記積層シートは、前後方向に関して、前記折返し片と重ならない位置まで広がるに留まるものとされ、
かつ、前記弾性伸縮部材として、前記折返し片と前記外装シートとの間に介在されたウエスト部弾性伸縮部材と、前記積層シートと前記外装シートとの間に介在された腰回り弾性伸縮部材と、が備えられている、ことを特徴とするパンツ型の紙おむつ。
【０００７】
〔請求項３記載の発明〕
表面シートと防漏シートと間に吸収体が介在された吸収性本体と、
この吸収性本体の外面側に一体的に設けられた、外装シート、この外装シートに幅方向に伸長した状態で固定された弾性伸縮部材、及び、この弾性伸縮部材の少なくとも一部を覆うように前記外装シートに積層された積層シート、が備わる外装体と、
前記吸収性本体の表面上から前記外装体の表面上に延出し、これら吸収性本体及び外装体に固定された固定シートと、を有し、
前記外装シートの前後方向両端部によってウエスト開口部が構成され、当該両端部の少なくとも一方は前記吸収性本体までは達しないように表面側に折り返されて折返し片が形成されている、パンツ型の紙おむつであって、
前記固定シートは、幅方向において外装シートの両側縁まで延在するとともに、前後方向において前記外装体の表面上から前記折返し片の表面上まで更に延出し、かつ当該折返し片の表面に固定されており、
前記積層シートは、前後方向に関して、前記折返し片と重なる位置まで広がるものとされ、
前記弾性伸縮部材として、前記折返し片と前記外装シートとの間に介在されたウエスト部弾性伸縮部材と、前記折返し片よりも股間側における前記積層シートと前記外装シートとの間に介在された腰回り弾性伸縮部材と、が備えられ、
かつ、前記折返し片の先端部は、前記積層シート及び前記固定シートの両方にホットメルト接着剤によって固定されている、ことを特徴とするパンツ型の紙おむつ。
【０００８】
〔請求項４記載の発明〕
前記ウエスト部弾性伸縮部材及び腰回り弾性伸縮部材の少なくとも一方は、前後方向に間隔を空けてかつ前記折返し片の先端部近傍での間隔が他の部位の間隔よりも短くなるように配置されている、請求項２又は３記載のパンツ型の紙おむつ。
〔請求項５記載の発明〕
前記固定シートの先端部が前記折返し片に固定されず、この固定されていない部位が掴み片として構成されている、請求項１〜４のいずれか１項に記載のパンツ型の紙おむつ。
【発明の効果】
【０００９】
本発明によると、円滑な装着が妨げられるおそれのないパンツ型の紙おむつとなる。
【発明を実施するための最良の形態】
【００１０】
次に、本発明の実施の形態を説明する。
図４は、通常使い捨てされる実施形態のパンツ型の紙おむつ１の製品状態外観図であり、図５は展開状態での組み立て図である。このパンツ型の紙おむつ（以下、単に紙おむつともいう。）１は、不織布などからなる透液性の表面シート１１と、ポリエチレン等からなる防漏シート１２との間に、綿状パルプなどの吸収体１３を介在させた吸収性本体１０と、この吸収性本体１０の外面側に一体的設けられた外装体２０とから主になるものである。製造に際しては、外装体２０の上面（表面）側に吸収性本体１０がホットメルト等の接着剤によって接着固定されて一体化された後に、吸収性本体１０及び外装体２０が前後方向に折り重ねられ、その両側部が相互に熱溶着又はホットメルト接着剤などによって接合されることによって、ウエスト開口部及び左右一対のレッグ開口部が形成されたパンツ型の紙おむつ１となる。
以下、吸収性本体１０、外装体２０の順に説明する。
【００１１】
（吸収性本体１０の構造）
吸収性本体１０は、図８及び図９に示すように、不織布などからなる透液性の表面シート１１と、ポリエチレン等からなる防漏シート１２との間に、綿状パルプなどの吸収体１３を介在させた構造とされ、体液を吸収保持するものである。
【００１２】
吸収体１３の表面側（肌当接面側）を覆う透液性の表面シート１１としては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性の表面シート１１に多数の透孔を形成した場合には、尿などが速やかに吸収されるようになり、ドライタッチ性に優れたものとなる。透液性の表面シート１１は、吸収体１３の側縁部を巻き込んで吸収体１３の裏面側まで延在している。
【００１３】
吸収体１３の裏面側（非肌当接面側）を覆う防漏シート１２は、ポリエチレン又はポリプロピレンなどの不透液性プラスチックシートが用いられるが、近年はムレ防止の点から透湿性を有するものが好適に用いられる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートであり、仮にシート厚が同じであれば無孔シートよりも剛性が低下するため、柔軟性の点で勝るものとなる。
【００１４】
吸収体１３は、フラッフ状パルプと吸水ポリマーとを成形してなるものが好適に用いられる。吸水性ポリマーは吸収体１３を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能及び価格の面で好適に使用できる。もちろんこれ以外の公知の吸収体１３も採用することができる。また、吸収体１３は、形状保持と透液性の表面シート１１を透過した体液の拡散性向上のため等、必要に応じてクレープ紙等の透液性シート１４によって包むことができる。吸収体１３の形状は、背側及び腹側に対して股間部の幅が狭い形状としたり、図示形態のように矩形形状としたりすることができる。
【００１５】
一方、吸収性本体１０の両側部には脚周りにフィットする立体ギャザーＢＳが形成されているのが好ましい。この立体ギャザーＢＳはギャザー不織布１５により形成される。ギャザー不織布１５としては、図９に示されるように、折返しによって二重シートとした不織布が好適に用いられ、透液性の表面シート１１によって巻き込まれた吸収体１３の側縁部をさらにその上側から巻き込んで吸収体１３の裏面側まで延在して接着されている。より具体的には、ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００１６】
二重シート不織布によって形成されたギャザー不織布１５の内部には、起立先端側部分に複数本の糸状弾性伸縮部材１６、１６…が配設されている。糸状弾性伸縮部材１６，１６…は、製品状態において図６（Ｂ）に示されるように、弾性伸縮力により吸収体側縁部より突出する不織布部分を起立させて立体ギャザーＢＳを形成するためのものである。
【００１７】
防漏シート１２は、二重シート状のギャザー不織布１５の内部まで進入し、図９に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００１８】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００１９】
前述のギャザー不織布１５を構成する素材繊維も透液性の表面シート１１と同様に、ポリエチレン又はポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２０】
（外装体２０の構造）
外装体２０は、図５及び図６に示されるように、積層シート２０Ａ及び外装シート２０Ｂからなる２層構造の不織布等からなるシートとされ、積層シート２０Ａと外装シート２０Ｂとの間に各種弾性部材が配設され、伸縮性が付与されている。平面形状は、中間両側部に夫々脚部開口を形成するために形成された凹状の脚回りカットライン２９により、全体として擬似砂時計形状をなしている。
【００２１】
特に、図示形態の外装体２０においては、弾性伸縮部材として、図６に示される展開形状において、ウエスト開口部回り２３に配置されたウエスト部弾性伸縮部材２４，２４…と、前身頃Ｆ及び後身頃Ｂに、上下方向（前後方向）に間隔をおいて水平方向に沿って配置された複数の腰回り弾性伸縮部材２５，２５…とを有するとともに、前身頃Ｆ及び後身頃Ｂのそれぞれにおいて、腰回り弾性伸縮部材２５，２５…とは別に、前身頃Ｆと後身頃Ｂとを接合する一方側接合縁２１，２２から股下側に延び、股下側を迂回して前身頃Ｆと後身頃Ｂとの他方側接合縁２１，２２に到達するとともに、互いに交差することなく間隔をおいて配置された複数本の湾曲弾性伸縮部材２６，２８…を備えている。なお、本外装体２０では、脚回りカットライン２９に沿って実質的に連続する、所謂脚回り弾性部材は設けられていない。
【００２２】
以下、各種弾性伸縮部材毎に詳述する。
ウエスト部弾性伸縮部材２４，２４…は、前身頃Ｆと後身頃Ｂとが接合された脇部接合縁２１，２２の範囲の内、ウエスト開口縁近傍に上下方向（前後方向）に間隔をおいて配設された複数条の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の弾性伸縮部材を用いてもよい。
【００２３】
腰回り弾性伸縮部材２５，２５…は、脇部接合縁２１，２２の範囲の内、概ね上部から下部までの範囲に亘り、上下方向（前後方向）に間隔をおいて水平方向に沿って配設された糸ゴム状の弾性伸縮部材であり、前身頃Ｆ及び後身頃Ｂの腰回り部分に夫々水平方向の伸縮力を与え、紙おむつを身体に密着させるためのものである。なお、ウエスト部弾性伸縮部材２４，２４…と腰回り弾性伸縮部材２５，２５…との境界は必ずしも明確でなくてよい。例えば、前身頃Ｆ及び後身頃Ｂに上下方向（前後方向）に間隔をおいて水平方向に配置された弾性伸縮部材のうち、数は特定できなくても、上部側の何本かがウエスト部弾性伸縮部材として機能し、残りの弾性伸縮部材が腰回り弾性伸縮部材として機能していればよい。
【００２４】
後身頃Ｂにおいて、腰回り弾性伸縮部材２５，２５…とは別に配設された背側湾曲弾性部材２６，２６…は、一方側の脇部接合縁２２からほぼ脚回りカットライン２９に沿うように股下部に延び、股下部を迂回して反対側の脚回りカットライン２９にほぼ沿いながら他方側の脇部接合縁２２に到達するように配置された複数本、図６においては９本の糸ゴム状弾性伸縮部材であり、これら背側湾曲弾性伸縮部材２６，２６…は互いに交差することなく、間隔をおいて配置されている。この背側湾曲弾性伸縮部材２６，２６…は、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００２５】
背側湾曲弾性伸縮部材２６，２６…の始終端は、前身頃Ｆと後身頃Ｂとの接合縁のほぼ上部から下部の範囲に亘り所定の間隔で接続され、吸収性本体１０の側縁との交差部において、背側湾曲弾性伸縮部材２６，２６…と吸収性本体１０側縁との鋭角側交差角αは３５°以上、好ましくは４０°以上、より好ましくは４５°以上となる配置パターンで配置されている。因みに図示例では、交差角αが４７°前後となるように配置されている。交差角αは、水平方向分力と鉛直方向（前後方向）分力のバランスから、大きくとも６０°以下とするのが望ましい。
【００２６】
前身頃Ｆと後身頃Ｂとの脇部接合縁２１，２２において、背側湾曲弾性伸縮部材２６，２６…のうち、最もウエスト開口部寄りに位置する弾性部材２６ｉは、ウエスト部弾性伸縮部材２４，２４…の最下側弾性部材２４Ｏからの距離ＳＢが２０ｍｍ以内となるように配置するのが好ましい。装着に際して着用者がウエスト部の脇を掴んで上方に引き上げた際、湾曲弾性伸縮部材２６，２６…の弾性力によって紙おむつの後身頃Ｂ側を上方に引上げ易くなり、穿き易さが向上するようになる。
【００２７】
また、背側湾曲弾性伸縮部材２６，２６…は、股下部の迂回部において、弧状曲線状に方向転換されていることが望ましい。弾性伸縮部材では接線方向に伸縮力が作用するところ、股下部において曲線状に反転させることにより、吸収体１３の幅方向に作用する力を極小化でき、当該股下部での吸収体１３の縮こまりを防止することが可能となる。
【００２８】
特に図示形態の紙おむつ１では、後身頃Ｂにおいて、臀部の膨らみ形状に対応して外装体２０をフィットさせるために、臀部の膨らみに対し極力沿う方向に伸縮力を作用させるべく、相対的に緩い傾斜角度で背側湾曲弾性伸縮部材２６，２６…を配置するようにしたものであり、例えば交差角α＝４７°で背側湾曲弾性伸縮部材２６、２６…が配置されているとすると、与えた伸縮力の７３％を水平方向分力として作用させることができるようになり、臀部を包み込むように外装体２０を身体に密着させることができるようになる。その結果、吸収性本体１０を中央側に縮こまらせることがなくなるとともに、確実に身体に密着させることにより漏れ防止効果が高まるようになる。
【００２９】
さらに、前身頃Ｆと後身頃Ｂとの脇部接合縁２１，２２における背側湾曲弾性伸縮部材２６，２６…の配置間隔、すなわち脇部側縁２１，２２の弾性伸縮部材配置区間ＢＬにおける配置間隔は、股下部の弾性伸縮部材配置区間ＭＢにおける背側湾曲弾性伸縮部材２６，２６…の配置間隔とほぼ同じとされ、かつ背側湾曲弾性伸縮部材２６，２６…のうち、最も股下側に位置する弾性伸縮部材２６ｏはおむつの股下部折り畳みラインＣＬからの距離ＢＨが±５０ｍｍ以内、好ましくは３５ｍｍ以内となる曲線形状を描くように配置されている。背側湾曲弾性伸縮部材２６，２６…の配置間隔を脇部接合縁２１，２２と股下部とで均等配置にすることにより、弾性力が集中せずに均等バランスで外装体２０全体を身体に密着させるようになるとともに、背側湾曲弾性伸縮部材２６，２６…が描くラインが股下部近傍領域を迂回する大波の曲線形状で配置することにより、外装体２０を身体に対してきっちりと密着保持し得るようになる。
【００３０】
後身頃Ｂ側に配置された背側湾曲弾性伸縮部材２６，２６…は、股下部において、おむつの股下部折り畳みラインＣＬを基準に前身頃Ｆ側に偏倚していることが望ましい。股下部において、背側湾曲弾性伸縮部材２６，２６…をおむつの股下部折り畳みラインＣＬを基準に前身頃Ｆ側に偏倚させることにより、臀部側で生じるおむつのずり落ちを無くすとともに、外装体２０の弛みを無くして身体にフィットさせることができる。
【００３１】
他方、外装体２０の前身頃において、腰回り弾性伸縮部材２５，２５…とは別に配設された腹側湾曲弾性伸縮部材２８，２８…も、一方側の脇部接合縁２１から股下側に延び、股下側を迂回して他方側の脇部接合縁２１に到達するとともに、交差することなく間隔をおいて配置された複数本の、図６の例では９本の糸状弾性伸縮部材であり、これら腹側湾曲弾性伸縮部材２８，２８…は、互いに交差することなく、間隔をおいて配置されている。この腹側湾曲弾性伸縮部材２８，２８…も、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００３２】
この腹側弾性伸縮部材２８，２８…の始終端も、前身頃Ｆと後身頃Ｂとの脇部接合縁２１，２１のほぼ上部から下部の範囲に亘り、所定の間隔で接続され、吸収性本体１０の側縁との交差部において、腹側湾曲弾性伸縮部材２８，２８…と吸収性本体１０側縁との鋭角側交差角θが３０°以下、好ましくは２８°以下となる配置パターンで配置されている。因みに、図示例では交差角θが２６°前後となるように配置されている。交差角θは、水平方向分力と鉛直方向（前後方向）分力のバランスから、少なくとも２０°以上とするのが望ましい。
【００３３】
この腹側湾曲弾性伸縮部材２８，２８…についても、吸収体１３の幅方向に作用する力を極小化し、当該股下部での吸収体１３の縮こまりを防止するために、股下部の迂回部において、ほぼ弧状曲線状に方向転換されていることが望ましい。
【００３４】
本実施形態の紙おむつ１においては、身体の前側（腹側）部分には身体の後側（背側）臀部のような引掛かりとなる膨らみがないため、紙おむつのずり落ちは主として前身頃Ｆ側で顕著に発生する傾向にあるとの知見に鑑み、相対的にきつい傾斜角度で弾性伸縮部材２８，２８…を配置するようにしたものであり、図示例のように、交差角θ＝２６°で腹側湾曲弾性伸縮部材２８，２８…が配置されているとすると、与えた伸縮力の９０％を上方向（前方向）分力として作用させることができ、紙おむつのずり落ちを効果的に防止できるようになる。
【００３５】
前身頃Ｆと後身頃Ｂとの脇部接合縁２１，２２において、腹側湾曲弾性伸縮部材２８，２８…のうち、最もウエスト開口部寄りに位置する弾性伸縮部材２８ｉは、ウエスト部弾性伸縮部材２４の最下側弾性伸縮部材２４ｏからの距離ＳＦが２０ｍｍ以内となるように配置される。装着に際して着用者がウエスト部の脇をもって上方に引き上げた際、腹側湾曲弾性伸縮部材２８，２８…の弾性力によって紙おむつの前身頃Ｆ側を上方に引上げ易くなり、穿き易さが向上するようになる。
【００３６】
さらに、前身頃Ｆと後身頃Ｂとの脇部接合縁２１，２２における腹側湾曲弾性伸縮部材２８，２８…の配置間隔、すなわち脇部側縁２１，２１の弾性伸縮部材配置区間ＦＬにおける配置間隔は、股下部の弾性伸縮部材配置区間ＭＦにおける腹側湾曲弾性伸縮部材２８，２８…の配置間隔とほぼ同じとされ、かつ腹側湾曲弾性伸縮部材２８，２８…のうち、最も股下側に位置する弾性伸縮部材２８ｏはおむつの股下部折り畳みラインＣＬからの距離ＦＨが±５０ｍｍ以内、好ましくは３５ｍｍ以内となる曲線形状を描くように配置されている。腹側湾曲弾性伸縮部材２８，２８…の配置間隔を脇部接合縁２１，２１と股下部とで均等配置にすることにより、弾性力が集中せずに均等バランスで外装体２０を身体に密着させるようになるとともに、腹側湾曲弾性伸縮部材２８，２８…が描くラインが股下部近傍領域を迂回する大波の曲線形状で配置することにより、外装体２０を身体に対してきっちりと密着保持し得るようになる。
【００３７】
ところで、腹側湾曲弾性伸縮部材２８，２８…の一部と、背側湾曲弾性伸縮部材２６，２６…の一部とは、股下部において交差させることもできるが、腹側湾曲弾性伸縮部材２８，２８…のうちの最股下側弾性伸縮部材２８ｏと、後身頃Ｂ側に配置された背側湾曲弾性伸縮部材２６，２６…の内の最股下側弾性伸縮部材２６ｏとが、股下部において互いに交差することなく近接している方が好ましい。近接幅（ＦＨ−ＢＨ）は、１０〜２０ｍｍとするのが望ましい。後者の場合、股下部において、湾曲弾性伸縮部材２６，２８…によって吸収性本体１０を均等の圧力で身体側に押付け密着させるため、身体との隙間が封鎖され、高い漏れ防止効果が発揮されるようになる。
【００３８】
また、上記形態例では、前身頃Ｆ及び後身頃Ｂに配置された腰回り弾性部材群２５，２５…及び湾曲弾性伸縮部材２６，２８…は、吸収性本体１０上においても連続させて配置するようにしたが、図７に示されるように、吸収性本体１０を横切る弾性伸縮部材を切断し、不連続としてもよい。弾性伸縮部材を吸収性本体１０上で不連続とすることにより、吸収体１３の縮こまりをより防止することができる。なお、吸収性本体１０上で弾性伸縮部材が切断されているか否かに拘わらず、腰回り弾性部材群２５，２５…及び湾曲弾性伸縮部材２６，２８…が切断前の状態で上記配置とされている限り、上記の作用効果が奏せられる。
【００３９】
（紙おむつ１の特徴的な構造）
次に、本紙おむつ１の特徴的な構造について説明する。なお、以下で示す図１０及び図１１においては、説明の都合上、湾曲弾性伸縮部材２６，２８…の図示を省略している。湾曲弾性伸縮部材２６，２８…は、配置することも配置しないこともできる。
【００４０】
本紙おむつ１は、図１０に模式的に示すように、吸収性本体１０の表面、図示例では表面シート１１の表面上から外装体２０、図示例では積層シート２０Ａの表面上に延出し、これら表面シート１１及び積層シート２０Ａにホットメルト接着剤等によって固定された固定シート４０を、従来の紙おむつと同様に、有する。この固定シート４０によって、吸収性本体１０の、特に前後方向端部が、外装体２０から剥がれてしまうのが防止される。したがって、固定シート４０は、吸収性本体１０の前後方向端部にのみ存在し、固定されていれば足り、この前後方向に関する固定長Ｘは、通常５〜５０ｍｍ、好ましくは２０〜３５ｍｍである。また、幅方向に関しては、着用者の肌との擦れを防止するという観点から、外装体２０の側縁位置まで延出する。
【００４１】
また、本紙おむつ１は、前述から明らかなように、外装シート２０Ｂの前後方向両端部によってウエスト開口部が構成されるが、従来の紙おむつと同様、当該両端部の少なくとも一方は、好ましくは両方は、表面側（吸収性本体１０側）に折り返されて折返し片２７が形成されている。不繊布等で形成される外装シート２０Ｂの前後方向端部を折り返すことによって、外装シート２０Ｂの前後方向長さを、例えば、７００〜９００ｍｍ等の所定の長さとなるように調節するものである。したがって、この折返し片２７の長さＹは、一定の長さとなるものではなく、例えば、１０〜１００ｍｍの範囲で変化する。
【００４２】
このようにしてなる紙おむつ１において、固定シート４０は、積層シート２０Ａの表面上から当該折返し片２７と積層シート２０Ａの間（折返し片２７の裏面側）ではなく、折返し片２７の表面上まで更に延出し、この折返し片２７の表面に固定されている。前述したように、外装体２０の、吸収性本体１０の前方（腹側）や後方（背側）に位置する部位は、紙おむつ１の装着に際して、上方に引っ張られる。そこで、ある程度の強度が必要とされるところ、固定シート４０が折返し片２７と重なる位置まで延出すると、強度が向上し、外装体２０の裂け等が防止される。また、本形態においては、固定シート４０が折返し片２７の表面上に延出して固定されており、折返し片２７の先端縁２７ｂが露出していないため、紙おむつ装着などに際して、外装体２０を上方に引っ張ったときに折返し片２７に指が引っ掛かるとの問題が解決される。したがって、折返し片２７の剥がれや、これによる外装体２０の裂け等が防止され、紙おむつ１の円滑な装着が妨げられるおそれがない。
【００４３】
本形態において、固定シート４０は、折返し片２７の全域を覆うように、つまり折返し片２７の基端縁（折返し縁）２７ａまで延出しているが、これに限定する趣旨ではない。固定シート４０によって折返し片２７の先端縁２７ｂが覆われていればよい。ただし、着用者の肌との擦れを防止するという観点からは、図示例のように固定シート４０が折返し片２７の基端縁（折返し縁）２７ａまで延出しているのが好ましく、図示はしないが固定シート４０が折返し片２７の基端縁（折返し縁）２７ａを覆って外装体２０の外面側まで延出して固定されているのがより好ましい。
【００４４】
ここで、着用者の肌との擦れを防止するという観点からは、図１１に模式的に示すように、積層シート２０Ａを前後方向に関して折返し片２７と重ならない位置まで広がるに留まるものとし（つまり、積層シート２０Ａの前後端縁２０Ａａと折返し片２７の先端縁２７ｂが交差しないものとし）、かつ、折返し片２７と外装シート２０Ｂとの間にウエスト部弾性伸縮部材２４，２４…を介在させ、積層シート２０Ａと外装シート２０Ｂとの間に腰回り弾性伸縮部材２５，２５…を介在させるのが好ましい。この形態によると、折返し片２７の厚みによって固定シート４０の表面が突出するのが防止され、当該突出部と着用者の肌との擦れが防止される。なお、本形態においては、積層シート２０Ａを省略することも可能であるが、強度の観点からは積層シート２０Ａを有する方が好ましい。
【００４５】
本形態において、固定シート４０がいかなる素材から形成されているかは、特に限定されない。固定シート４０の素材としては、例えば、レーヨン、コットン、親水処理を施したポリオレフィン系不繊布、スパンボンド、メルトブロー、ＳＭＳの撥水性不繊布等を例示することができる。ただし、固定シート４０には、吸収体１３等を前後方向に拡散した体液が、吸収性本体１０の前後端縁から滲み出す（いわゆる、背漏れ、腹漏れ。）のを防止する機能をも持たせることができる。したがって、この漏れ防止という観点からは、固定シート４０を不透液性とするのが好ましい。
【００４６】
ところで、以上の本形態の特徴的な構造は、前身頃Ｆにおいて採用することも、後身頃Ｂにおいて採用することも、両方Ｆ，Ｂにおいて採用することもできる。
【００４７】
（応用形態１）
本形態の紙おむつ１は、図１２に示すように、積層シート２０Ａが、前後方向に関して、折返し片２７と重なる位置まで広がるものとされ、かつ、折返し片２７の先端部が、積層シート２０Ａ表面及び固定シート４０裏面の両方にホットメルト接着剤ＨＭによって固定された形態としても好ましいものとなる。この点、折返し片２７の先端部近傍は、紙おむつ１を上方に引っ張るときに指で掴まれる部位である。したがって、当該部分にホットメルト接着剤ＨＭが施され剛性が向上していると、指で掴み易くなり、結果、紙おむつ１を上方に引っ張り上げ易くなる。
【００４８】
（応用形態２）
本形態の紙おむつ１は、図１３に示すように、ウエスト部弾性伸縮部材２４が積層シート２０Ａの表面側に配置されていてもよい。この形態によると、従来、例えば、積層シート２０Ａの配置後にウエスト部弾性伸縮部材２４が配置される形態で紙おむつ１が製造されていた場合においても、当該製造工程を変えることなく積層シート２０Ａを前後方向に関して折返し片２７と重なる位置まで広がるものとすることができる。
【００４９】
（応用形態３）
本形態の紙おむつ１は、図１４に示すように、折返し片２７の表面にホットメルト接着剤ＨＭによって固定されている固定シート４０の先端部が、折返し片２７に固定されず、この固定されていない部位が掴み片４０Ａとされている。したがって、この掴み片４０Ａを掴んで紙おむつ１を上方に引っ張ることができ、紙おむつ１の装着が容易となる。
【００５０】
（応用形態４）
本形態の紙おむつ１は、図１５に示すように、吸収性本体１０の表面シート１１が、前後方向に関して、折返し片２７と重なる位置まで延出し、かつこの折返し片２７と外装シート２０Ｂとの間に挟まれて固定されている。したがって、この形態によると、紙おむつ１を上方に引っ張るときに指で掴まれる部位の強度が向上することになるため、裂けなどを原因として円滑な装着が妨げられるといったおそれはない。
なお、本形態の場合は、表面シート１１が外装体２０に固定されるので、このことによって吸収性本体１０の外装体２０からの剥がれは相当程度防止されるが、固定シート４０を不透液性とすれば、漏れ防止効果を十分に期待することができる。
【００５１】
（応用形態５）
本形態の紙おむつ１は、前後方向に関して相互に隣接する弾性伸縮部材、本形態ではウエスト部弾性伸縮部材２４や腰回り弾性伸縮部材２５の離間距離（以下単に「ピッチ」ともいう。）が、折返し片２７の先端部近傍で短くなっていると、好ましいものとなる。この点、前述したように、折返し片２７の先端部近傍は、紙おむつ１を上方に引っ張るときに指で掴まれる部位である。したがって、当該部分近傍における弾性伸縮部材２４，２５のピッチが短くなっており、剛性が向上していると、指で掴み易くなり、結果、紙おむつ１を上方に引っ張り上げ易くなる。
【産業上の利用可能性】
【００５２】
本発明は、通常使い捨てされるパンツ型の紙おむつとして、適用可能である。
【図面の簡単な説明】
【００５３】
【図１】従来の紙おむつの前後端部の断面模式図である。
【図２】従来の紙おむつの前後端部の断面模式図である。
【図３】従来の紙おむつの前後端部の断面模式図である。
【図４】本形態の紙おむつ１の製品状態外観図である。
【図５】本形態の紙おむつ１の展開状態での組み立て図である。
【図６】外装体２０の展開図である。
【図７】外装体２０の変形例を示す展開図である。
【図８】吸収性本体１０の平面図である。
【図９】（Ａ）は吸収性本体１０の展開状態での半横断面図、（Ｂ）はその製品状態を示す図である。
【図１０】本形態の紙おむつ１の前後端部の断面模式図である。
【図１１】本形態の紙おむつ１の変形例を示す前後端部の断面模式図である。
【図１２】本形態の紙おむつ１の応用形態１を示す前後端部の断面模式図である。
【図１３】本形態の紙おむつ１の応用形態２を示す前後端部の断面模式図である。
【図１４】本形態の紙おむつ１の応用形態３を示す前後端部の断面模式図である。
【図１５】本形態の紙おむつ１の応用形態４を示す前後端部の断面模式図である。
【符号の説明】
【００５４】
１…紙おむつ、１０…吸収性本体、１１…表面シート、１２…防漏シート、１３…吸収体、１４…クレープ紙、１５…ギャザー不織布、１６…糸状弾性伸縮部材、２０…外装体、２０Ａ…積層シート、２０Ｂ…外装シート、２１，２２…脇部接合縁、２４…ウエスト部弾性伸縮部材、２５…腰回り弾性伸縮部材、２６…背側湾曲弾性伸縮部材、２７…折返し片、２８…腹側湾曲弾性伸縮部材、２９…脚回りカットライン、４０…固定シート、４０Ａ…掴み片、Ｆ…前身頃、Ｂ…後身頃。